(57)【要約】      （修正有）【課題】マルチメディアコンテンツを整合することができるマルチメディアコンテンツ整合方法、マルチメディアコンテンツ整合システム及びプログラムを提供する。【解決手段】マルチメディアコンテンツ整合方法は、第１ユーザ端末からの、記録可能な対象に関連する第１マルチメディアコンテンツを取得するステップＳ１１と、第１ユーザ端末以外からの、記録可能な対象に関連する第２マルチメディアコンテンツを取得するステップＳ１２と、第１マルチメディアコンテンツ及び第２マルチメディアコンテンツにより記録可能な対象を描くための第１整合コンテンツを生成するステップＳ１３と、を含む。【選択図】図２
2019220181.tif 000002
【特許請求の範囲】
【請求項１】
第１ユーザ端末からの、記録可能な対象に関連する第１マルチメディアコンテンツを取得するステップと、
前記第１ユーザ端末以外からの、前記記録可能な対象に関連する第２マルチメディアコンテンツを取得するステップと、
前記第１マルチメディアコンテンツ及び前記第２マルチメディアコンテンツにより前記記録可能な対象を描くための第１整合コンテンツを生成するステップと、
を含むマルチメディアコンテンツ整合方法。
【請求項２】
サーバ端末において、前記第１ユーザ端末からの前記第１マルチメディアコンテンツを取得するステップと、
前記サーバ端末において、前記第１ユーザ端末以外からの前記第２マルチメディアコンテンツを取得するステップと、
前記サーバ端末において、前記第１マルチメディアコンテンツ及び前記第２マルチメディアコンテンツにより前記記録可能な対象を描くための前記第１整合コンテンツを生成するステップと、
を含む、請求項１に記載のマルチメディアコンテンツ整合方法。
【請求項３】
前記第２マルチメディアコンテンツは、前記第１ユーザ端末以外の他のユーザ端末、前記サーバ端末のメモリ、インターネット及び他のマルチメディアコンテンツソースのうちの１つ、２つ、３つ又は全部からのものである、請求項２に記載のマルチメディアコンテンツ整合方法。
【請求項４】
前記記録可能な対象に関連する第２マルチメディアコンテンツを取得するステップは、
前記記録可能な対象に関連する第１ユーザに関連する履歴情報を取得するステップと、
前記履歴情報を用いて全部又は一部の前記第２マルチメディアコンテンツを取得するステップと、
を含む、請求項１に記載のマルチメディアコンテンツ整合方法。
【請求項５】
前記記録可能な対象に関連する第２マルチメディアコンテンツを取得するステップは、
前記第１マルチメディアコンテンツ及び前記第１ユーザに関連する前記履歴情報を用いて、サーバ端末のメモリ、インターネット及び他のマルチメディアコンテンツソースのうちの１つ、２つ又は全部において、前記記録可能な対象に関連する部分であり、前記第１マルチメディアコンテンツ及び前記第２マルチメディアコンテンツによりカバーされていない別のマルチメディアコンテンツを検索するステップと、
を含む、請求項４に記載のマルチメディアコンテンツ整合方法。
【請求項６】
前記記録可能な対象に関連する第１ユーザに関連する履歴情報を取得するステップの後であって、前記第１整合コンテンツを生成するステップの前に、
前記記録可能な対象が正確であるかどうかを確認する確認コマンドを前記第１ユーザ端末に送信するステップと、
前記記録可能な対象が正確でない場合、前記記録可能な対象を再度設定し、再度設定された前記記録可能な対象に関連する別のマルチメディアコンテンツを検索するステップと、
を更に含む、請求項４又は５に記載のマルチメディアコンテンツ整合方法。
【請求項７】
前記第１整合コンテンツを分析することによって、グループにおける少なくとも一人のユーザが前記記録可能な対象に関連する第３マルチメディアコンテンツを提供するようにガイドするための第１ガイドデータを生成するステップと、
前記第１ガイドデータを前記ユーザに提供するステップと、
前記ユーザからの前記第３マルチメディアコンテンツを取得するステップと、
前記第１マルチメディアコンテンツ、前記第２マルチメディアコンテンツ及び前記第３マルチメディアコンテンツにより前記記録可能な対象を描くための第２整合コンテンツを生成するステップと、
を更に含む、請求項１に記載のマルチメディアコンテンツ整合方法。
【請求項８】
前記第１マルチメディアコンテンツは第１写真を含み、前記第１写真は、第１角度から前記記録可能な対象を撮ることによって生成されたものであり、
前記第２マルチメディアコンテンツは第２写真を含み、前記第２写真は、第２角度から前記記録可能な対象を撮ることによって生成されたものであり、
前記第３マルチメディアコンテンツは第３写真を含み、前記第３写真は、第３角度から前記記録可能な対象を撮ることによって生成されたものであり、
前記第１写真、前記第２写真及び前記第３写真は二次元写真であり、
前記第１ガイドデータは、前記記録可能な対象の三次元画像を得るために欠けている撮影角度データを含む、請求項７に記載のマルチメディアコンテンツ整合方法。
【請求項９】
前記第１マルチメディアコンテンツは、前記第１写真に係る第１撮影場所データ、第１撮影時間データ及び／又は第１撮影方向データを更に含み、
前記第２マルチメディアコンテンツは、前記第２写真に係る第２撮影場所データ、第２撮影時間データ及び／又は第２撮影方向データを更に含み、
前記第３マルチメディアコンテンツは、前記第３写真に係る第３撮影場所データ、第３撮影時間データ及び／又は第３撮影方向データを更に含む、請求項８に記載のマルチメディアコンテンツ整合方法。
【請求項１０】
前記第１ガイドデータを前記ユーザに提供するステップは、
前記グループにおける第１ユーザ及び前記第１ユーザに関連する複数の第２ユーザと前記記録可能な対象との地図上の距離を計算するステップと、
計算された前記距離に基づいて、前記第１ユーザ及び前記複数の第２ユーザのうちから、前記記録可能な対象に最も近いユーザを選択するステップと、
前記第１ガイドデータを選択された前記ユーザに提供するステップと、
を含み、
前記ユーザからの前記第３マルチメディアコンテンツを取得するステップは、
選択された前記ユーザからの前記第３マルチメディアコンテンツを取得するステップ
を含む、請求項７に記載のマルチメディアコンテンツ整合方法。
【請求項１１】
前記第１整合コンテンツの前記記録可能な対象を描く完全性の程度に応じた完全性スコアを与えるステップと、
前記完全性スコアを前記ユーザに提供するステップと、
を更に含む、請求項７に記載のマルチメディアコンテンツ整合方法。
【請求項１２】
前記ユーザが、前記第１ガイドデータのガイドに基づいて、前記記録可能な対象に関連する前記第３マルチメディアコンテンツを提供した後に、奨励スコアを前記ユーザに提供するステップ
を更に含む、請求項１１に記載のマルチメディアコンテンツ整合方法。
【請求項１３】
前記第３マルチメディアコンテンツを取得するステップの後であって、前記第２整合コンテンツを生成するステップの前に、
前記第２整合コンテンツの現在のマルチメディアコンテンツで前記記録可能な対象を十分に描くことができるかどうかを判断するステップと、
前記現在のマルチメディアコンテンツで前記記録可能な対象を十分に描くことができないと判断された場合、前記ユーザが前記記録可能な対象に関連する第４マルチメディアコンテンツを提供するようにガイドするための第２ガイドデータを生成するステップと、
前記第２ガイドデータを前記ユーザに提供し、前記ユーザからの前記第４マルチメディアコンテンツを取得するステップと、
前記第１マルチメディアコンテンツ、前記第２マルチメディアコンテンツ、前記第３マルチメディアコンテンツ及び前記第４マルチメディアコンテンツにより前記記録可能な対象を描くための第３整合コンテンツを生成するステップと、
を更に含む、請求項７に記載のマルチメディアコンテンツ整合方法。
【請求項１４】
前記第１整合コンテンツを分析することによって、前記第１整合コンテンツで前記記録可能な対象を十分に描くことができるかどうかを判断するステップと、
前記第１整合コンテンツで前記記録可能な対象を十分に描くことができないと判断された場合、ユーザが前記記録可能な対象に関連する第３マルチメディアコンテンツを提供するようにガイドするためのガイドデータを生成するステップと、
前記ガイドデータを前記ユーザに提供し、前記ユーザからの前記第３マルチメディアコンテンツを取得するステップと、
前記第１マルチメディアコンテンツ、前記第２マルチメディアコンテンツ及び前記第３マルチメディアコンテンツにより前記記録可能な対象を描くための第２整合コンテンツを生成するステップと、
を更に含む、請求項１に記載のマルチメディアコンテンツ整合方法。
【請求項１５】
請求項１〜１４のいずれか一項に記載のマルチメディアコンテンツ整合方法を実行するように構成されているマルチメディアコンテンツ整合システム。
【請求項１６】
請求項１〜１４のいずれか一項に記載のマルチメディアコンテンツ整合方法をコンピュータに実行させるプログラム。
【発明の詳細な説明】
【技術分野】
【０００１】
本発明は、マルチメディアコンテンツ整合方法、マルチメディアコンテンツ整合システム及びプログラムに関し、特に記録可能な対象を描くことに用いられるマルチメディアコンテンツ整合方法、マルチメディアコンテンツ整合システム及びプログラムに関する。
【背景技術】
【０００２】
既存のユーザ装置及び時間等に制限され、ユーザは、記録したい記録可能な対象（例えばランドマーク、建物、自然景色、物、イベント等）のうちの一部のマルチメディアコンテンツ（例えば二次元写真、ビデオ、音声等）しか取得できないため、記録可能な対象の多くの重要部分は記録されていない可能性があり、ユーザはとても残念に思うことがある。
【０００３】
例えば、何人かのユーザが観光スポットを旅行した時、すべてのユーザが自分のスマートフォンで二次元写真を撮ったが、このような二次元写真は、観光スポットのうちの一部（例えば、韓国のソウルタワーのいくつかの角度の二次元写真だけが撮られている）だけしか描くことができず、このようなすべての二次元写真は観光スポットを完全に描くことができず、ユーザが自分で撮った二次元写真だけを保存し、観光スポットにある多くの重要部分の写真を撮っていないため、ユーザのこの旅行の思い出として、ユーザは残念に思うことがある。
【発明の概要】
【０００４】
本発明は、マルチメディアコンテンツを整合することができるマルチメディアコンテンツ整合方法、マルチメディアコンテンツ整合システム及びプログラムを提供する。
【０００５】
本マルチメディアコンテンツ整合方法は、第１ユーザ端末からの、記録可能な対象に関連する第１マルチメディアコンテンツを取得するステップと、第１ユーザ端末以外からの、記録可能な対象に関連する第２マルチメディアコンテンツを取得するステップと、第１マルチメディアコンテンツ及び第２マルチメディアコンテンツにより記録可能な対象を描くための第１整合コンテンツを生成するステップと、を含む。
【０００６】
任意的に、サーバ端末において、第１ユーザ端末からの第１マルチメディアコンテンツを取得し、サーバ端末において、第１ユーザ端末以外からの第２マルチメディアコンテンツを取得し、サーバ端末において、第１マルチメディアコンテンツ及び第２マルチメディアコンテンツにより記録可能な対象を描くための第１整合コンテンツを生成する。
【０００７】
任意的に、第２マルチメディアコンテンツは、第１ユーザ端末以外の他のユーザ端末、サーバ端末のメモリ、インターネット及び他のマルチメディアコンテンツソースのうちの１つ、２つ、３つ又は全部からのものである。
【０００８】
任意的に、記録可能な対象に関連する第２マルチメディアコンテンツを取得するステップは、記録可能な対象に関連する第１ユーザに関連する履歴情報を取得するステップと、履歴情報を用いて全部又は一部の第２マルチメディアコンテンツを取得するステップと、を含む。
【０００９】
任意的に、記録可能な対象に関連する第２マルチメディアコンテンツを取得するステップは、第１マルチメディアコンテンツ及び第１ユーザに関連する履歴情報を用いて、サーバ端末のメモリ、インターネット及び他のマルチメディアコンテンツソースのうちの１つ、２つ又は全部において、記録可能な対象に関連する部分であり、第１マルチメディアコンテンツ及び第２マルチメディアコンテンツによりカバーされていない別のマルチメディアコンテンツを検索するステップと、を含む。
【００１０】
任意的に、本マルチメディアコンテンツ整合方法は、記録可能な対象に関連する第１ユーザに関連する履歴情報を取得するステップの後であって、第１整合コンテンツを生成するステップの前に、記録可能な対象が正確であるかどうかを確認する確認コマンドを第１ユーザ端末に送信するステップと、記録可能な対象が正確でない場合、記録可能な対象を再度設定し、再度設定された記録可能な対象に関連する別のマルチメディアコンテンツを検索するステップと、を更に含む。
【００１１】
任意的に、本マルチメディアコンテンツ整合方法は、第１整合コンテンツを分析することによって、グループにおける少なくとも一人のユーザが記録可能な対象に関連する第３マルチメディアコンテンツを提供するようにガイドするための第１ガイドデータを生成するステップと、第１ガイドデータをユーザに提供するステップと、ユーザからの第３マルチメディアコンテンツを取得するステップと、第１マルチメディアコンテンツ、第２マルチメディアコンテンツ及び第３マルチメディアコンテンツにより記録可能な対象を描くための第２整合コンテンツを生成するステップと、を更に含む。
【００１２】
任意的に、第１マルチメディアコンテンツは第１写真を含み、第１写真は、第１角度から記録可能な対象を撮ることによって生成されたものであり、第２マルチメディアコンテンツは第２写真を含み、第２写真は、第２角度から記録可能な対象を撮ることによって生成されたものであり、第３マルチメディアコンテンツは第３写真を含み、第３写真は、第３角度から記録可能な対象を撮ることによって生成されたものであり、第１写真、第２写真及び第３写真は二次元写真であり、第１ガイドデータは、記録可能な対象の三次元画像を得るために欠けている撮影角度データを含む。
【００１３】
任意的に、第１マルチメディアコンテンツは、第１写真に係る第１撮影場所データ、第１撮影時間データ及び／又は第１撮影方向データを更に含み、第２マルチメディアコンテンツは、第２写真に係る第２撮影場所データ、第２撮影時間データ及び／又は第２撮影方向データを更に含み、第３マルチメディアコンテンツは、第３写真に係る第３撮影場所データ、第３撮影時間データ及び／又は第３撮影方向データを更に含む。
【００１４】
任意的に、第１ガイドデータをユーザに提供するステップは、グループにおける第１ユーザ及び第１ユーザに関連する複数の第２ユーザと記録可能な対象との地図上の距離を計算するステップと、計算された距離に基づいて、第１ユーザ及び複数の第２ユーザのうちから、記録可能な対象に最も近いユーザを選択するステップと、第１ガイドデータを選択されたユーザに提供するステップと、を含み、ユーザからの第３マルチメディアコンテンツを取得するステップは、選択されたユーザからの第３マルチメディアコンテンツを取得するステップを含む。
【００１５】
任意的に、本マルチメディアコンテンツ整合方法は、第１整合コンテンツの記録可能な対象を描く完全性の程度に応じた完全性スコアを与えるステップと、完全性スコアをユーザに提供するステップと、を更に含む。
【００１６】
任意的に、本マルチメディアコンテンツ整合方法は、ユーザが、第１ガイドデータのガイドに基づいて、記録可能な対象に関連する第３マルチメディアコンテンツを提供した後に、奨励スコアをユーザに提供するステップを更に含む。
【００１７】
任意的に、本マルチメディアコンテンツ整合方法は、第３マルチメディアコンテンツを取得するステップの後であって、第２整合コンテンツを生成するステップの前に、第２整合コンテンツの現在のマルチメディアコンテンツで記録可能な対象を十分に描くことができるかどうかを判断するステップと、現在のマルチメディアコンテンツで記録可能な対象を十分に描くことができないと判断された場合、ユーザが記録可能な対象に関連する第４マルチメディアコンテンツを提供するようにガイドするための第２ガイドデータを生成するステップと、第２ガイドデータをユーザに提供し、ユーザからの第４マルチメディアコンテンツを取得するステップと、第１マルチメディアコンテンツ、第２マルチメディアコンテンツ、第３マルチメディアコンテンツ及び第４マルチメディアコンテンツにより記録可能な対象を描くための第３整合コンテンツを生成するステップと、を更に含む。
【００１８】
任意的に、本マルチメディアコンテンツ整合方法は、第１整合コンテンツを分析することによって、第１整合コンテンツで記録可能な対象を十分に描くことができるかどうかを判断するステップと、第１整合コンテンツで記録可能な対象を十分に描くことができないと判断された場合、ユーザが記録可能な対象に関連する第３マルチメディアコンテンツを提供するようにガイドするためのガイドデータを生成するステップと、ガイドデータをユーザに提供し、ユーザからの第３マルチメディアコンテンツを取得するステップと、第１マルチメディアコンテンツ、第２マルチメディアコンテンツ及び第３マルチメディアコンテンツにより記録可能な対象を描くための第２整合コンテンツを生成するステップと、を更に含む。
【００１９】
本発明の少なくとも１つの実施例に基づき、本発明は、マルチメディアコンテンツを整合することができるマルチメディアコンテンツ整合システムを提供する。本マルチメディアコンテンツ整合システムは、少なくとも１つのメモリ装置と、少なくとも１つの処理装置と、少なくとも１つの通信装置と、を含み、上記のマルチメディアコンテンツ整合方法のうちのいずれかを実行するように構成されている。
【００２０】
本発明の少なくとも１つの実施例に基づき、本発明は、マルチメディアコンテンツを整合することができるプログラムを提供する。本プログラムは、上記のマルチメディアコンテンツ整合方法のうちのいずれかをコンピュータに実行させる。また、本発明の少なくとも１つの実施例に基づき、本発明は、上記のプログラムを記憶しているコンピュータ読み取り可能な記憶媒体を提供する。
【００２１】
これにより、本発明の方法、システム及びプログラムは、マルチメディアコンテンツを整合することができるため、本発明の方法、システム及びプログラムは、記録可能な対象をより完全に近いものとして描くことができるため、ユーザにとって更によい体験を高めることができる。
【図面の簡単な説明】
【００２２】
本発明の実施例又は既存の技術的解決手段をより明確に説明するため、下記は、実施例を描くために使用された図面について簡単に説明する。下記の図面は、本発明のいくつかの実施例に過ぎず、当業者であれば、創造的な工夫なく、これらの図面から他の図面を得ることができることが明らかであろう。
【図１】本発明の実施例によるマルチメディアコンテンツ整合システムの構成図である。
【図２】本発明の実施例によるマルチメディアコンテンツ整合方法のフローチャートである。
【図３】図２のマルチメディアコンテンツ整合方法が図１のマルチメディアコンテンツ整合システムにより実行されることを示す概略図である。
【図４】本発明の別の実施例によるマルチメディアコンテンツ整合方法のフローチャートである。
【図５】図４のマルチメディアコンテンツ整合方法が図１のマルチメディアコンテンツ整合システムにより実行されることを示す概略図である。
【図６】本発明の別の実施例によるマルチメディアコンテンツ整合方法のフローチャートである。
【図７】図６のマルチメディアコンテンツ整合方法が図１のマルチメディアコンテンツ整合システムにより実行されることを示す概略図である。
【図８】本発明の別の実施例によるマルチメディアコンテンツ整合方法のフローチャートである。
【図９】図８のマルチメディアコンテンツ整合方法が図１のマルチメディアコンテンツ整合システムにより実行されることを示す概略図である。
【図１０】本発明の別の実施例によるマルチメディアコンテンツ整合方法のフローチャートである。
【図１１】図１０のマルチメディアコンテンツ整合方法が図１のマルチメディアコンテンツ整合システムにより実行されることを示す概略図である。
【図１２】本発明の別の実施例によるマルチメディアコンテンツ整合方法のフローチャートである。
【図１３】図１２のマルチメディアコンテンツ整合方法が図１のマルチメディアコンテンツ整合システムにより実行されることを示す概略図である。
【図１４】本発明の別の実施例によるマルチメディアコンテンツ整合方法のフローチャートである。
【図１５】図１４のマルチメディアコンテンツ整合方法が図１のマルチメディアコンテンツ整合システムにより実行されることを示す概略図である。
【発明を実施するための形態】
【００２３】
本発明の目的、特徴及び効果を十分に理解するため、下記の発明を実施するための形態及び図面に基づいて、本発明を詳しく説明する。
【００２４】
図１を参照すると、図１は、本発明の実施例によるマルチメディアコンテンツ整合システムの構成図である。
【００２５】
図１に示すように、マルチメディアコンテンツ整合システム１００は、サーバ端末１１０、第１ユーザ端末及び複数の第２ユーザ端末１３０を含む。サーバ端末１１０は、インターネット１４０及び他のマルチメディアコンテンツソース１５０に接続される。サーバ端末１１０はサーバ装置を備える。サーバ装置は、メモリ１１１、プロセッサ１１２及び通信モジュール１１３を含み、第１ユーザ端末１２０及び複数の第２ユーザ端末１３０に接続される。第１ユーザ端末１２０はコンピュータ装置を備える。第１ユーザ端末１２０のコンピュータ装置は、入力装置１２１、ディスプレイ１２２、メモリ１２３、プロセッサ１２４及び通信モジュール１２５を含むことができる。同様に、複数の第２ユーザ端末１３０はコンピュータ装置を備える。複数の第２ユーザ端末１３０のコンピュータ装置も、入力装置、ディスプレイ、メモリ、プロセッサ及び通信モジュールを含むことができる。
【００２６】
サーバ端末１１０は、第１ユーザ端末１２０、複数の第２ユーザ端末１３０及び他のマルチメディアコンテンツソース１５０からのマルチメディアコンテンツを受信して記録するために使用されることに適している。例えば、通信モジュール１１３は、第１ユーザ端末１２０、第２ユーザ端末１３０及び他のマルチメディアコンテンツソース１５０からのマルチメディアコンテンツを受信することに適しており、プロセッサ１１２は、第１ユーザ端末１２０、第２ユーザ端末１３０及び他のマルチメディアコンテンツソースからのマルチメディアコンテンツを記憶するようにメモリ１１１を制御することに適している。
【００２７】
第１ユーザ端末１２０は、サーバ端末１１０からのデータを受信することに適しており、サーバ端末１１０からのコマンドを実行することに適している。例えば、第１ユーザ端末１２０の通信モジュール１２５は、サーバ端末１１０の通信モジュール１１３によって送信されたマルチメディアコンテンツを受信することに適しており、第１ユーザ端末１２０のプロセッサ１２４は、サーバ端末１１０からの、マルチメディアコンテンツを記憶するコマンドを実行するようにメモリ１２１を制御することに適している。また、例えば、第１ユーザ端末１２０のプロセッサ１２４は、サーバ端末１１０からの、マルチメディアコンテンツを表示するコマンドを実行するようにディスプレイ１２２を制御することに適している。また、例えば、第１ユーザ端末１２０のプロセッサ１２４は、サーバ端末１１０からの、マルチメディアコンテンツを検索し、指定されたマルチメディアコンテンツを返送するコマンドを実行することに適している。また、例えば、第１ユーザ端末１２０のプロセッサ１２４は、サーバ端末１１０からのガイドデータを表示するようにディスプレイ１２２を制御することに適している。
【００２８】
本実施例において、初めて送信した第１ユーザ端末１２０からのマルチメディアコンテンツ（以下第１マルチメディアコンテンツと称する）、第１ユーザ端末１２０以外からのマルチメディアコンテンツ（以下第２マルチメディアコンテンツと称する）、及び初めてではなく送信した第１ユーザ端末１２０からのマルチメディアコンテンツ（以下第３マルチメディアコンテンツと称する）のうちの２つ又は全部は整合され、整合コンテンツとなる。第１ユーザ端末１２０は、整合コンテンツを記憶及び表示することに適しており、第１マルチメディアコンテンツに比して、第２マルチメディアコンテンツ又は第３マルチメディアコンテンツは、記録可能な対象をばらばらに描くが、整合コンテンツは、記録可能な対象をより完全に近いものとして描くことができるため、整合コンテンツは、ユーザが残念に思うことを回避する。本発明の後の実施例では、整合コンテンツをどのように生成するかについて詳しく説明し、ここでは関係する記載を省略する。
【００２９】
図２及び図３を参照すると、図２は、本発明の実施例によるマルチメディアコンテンツ整合方法のフローチャートであり、図３は、図２のマルチメディアコンテンツ整合方法が図１のマルチメディアコンテンツ整合システムにより実行されることを示す概略図である。
【００３０】
この方法は、下記の３つのステップＳ１１〜Ｓ１３を含む。ステップＳ１１は、サーバ端末１１０において、第１ユーザ端末からの第１マルチメディアコンテンツを取得する。第１マルチメディアコンテンツは、記録可能な対象に関連する。ステップＳ１２は、サーバ端末１１０において、第１ユーザ端末以外からの、記録可能な対象に関連する第２マルチメディアコンテンツを取得する。ステップＳ１３は、サーバ端末１１０において、第１マルチメディアコンテンツ及び第２マルチメディアコンテンツにより記録可能な対象を描くための第１整合コンテンツを生成する。
【００３１】
本実施例において、この方法は、ステップＳ１１、ステップＳ１２、ステップＳ１３の順番で実行されるが、本発明は、この順番に限定されるものではない。例えば、本発明の他の実施例において、複数の第２マルチメディアコンテンツの一部を検索した後、先ず第１マルチメディアコンテンツ及び一部の第２マルチメディアコンテンツを整合して中間整合コンテンツを生成する。次いで、複数の第２マルチメディアコンテンツの別の一部を検索した後、更に、中間整合コンテンツ及び別の一部の第２マルチメディアコンテンツを整合して第１整合コンテンツを生成する。即ち、本発明の別の可能な実施例において、ステップＳ１２及びステップＳ１３は、中間ステップ（即ち、中間整合コンテンツを生成するステップ）を含むことができる。
【００３２】
ステップＳ１１において、サーバ端末１１０は、第１ユーザ端末１２０からの第１ユーザ端末の第１マルチメディアコンテンツを取得することに適している。例えば、サーバ端末１１０のサーバ装置の通信モジュールは、第１ユーザ端末１２０の通信モジュールから送信された第１マルチメディアコンテンツを受信することに適している。
【００３３】
ステップＳ１２において、サーバ端末１１０は、第１ユーザ端末以外からの、記録可能な対象に関連する第２マルチメディアコンテンツを検索することに適している。例えば、サーバ端末１１０のサーバ装置のプロセッサは、第１ユーザ端末以外からの、記録可能な対象に関連する第２マルチメディアコンテンツを検索することに適している。
【００３４】
ステップＳ１３において、サーバ端末１１０は、第１マルチメディアコンテンツ及び第２マルチメディアコンテンツにより記録可能な対象を描くための第１整合コンテンツを生成することに適している。例えば、サーバ端末１１０のサーバ装置のプロセッサは、第１マルチメディアコンテンツ及び第２マルチメディアコンテンツにより記録可能な対象を描くための第１整合コンテンツを生成することに適している。
【００３５】
本実施例（以下第１方法実施例）において、ステップＳ１１〜Ｓ１３は、大体サーバ端末１１０によって実行されたが、本発明は、これに限定されるものではない。例えば、他の実施例において、ステップＳ１１〜Ｓ１３のうちの１つ、２つ又は全部は、第１ユーザ端末１２０及び他の装置によって実行されることもある。
【００３６】
図４及び図５を参照すると、図４は、本発明の別の実施例によるマルチメディアコンテンツ整合方法であり、図５は、図４のマルチメディアコンテンツ整合方法が図１のマルチメディアコンテンツ整合システムにより実行されることを示す概略図である。
【００３７】
この方法は、下記の８つのステップＳ２１〜Ｓ２８を含む。図４のステップＳ２１と図２のステップＳ１１とは全く同じであり、図４のステップＳ２８と図２のステップＳ１３とは全く同じであるため、再びの説明を省略する。図２及び図４を比較すると、図２のステップ１２は、例示的に図４の６つのステップＳ２２〜Ｓ２７に分割される。ステップＳ２２は、サーバ端末１１０のサーバ装置のプロセッサが、第１コマンドをサーバ装置のメモリに送信して、メモリにおいて、記録可能な対象に関連する第２マルチメディアコンテンツを検索する。ステップＳ２３は、第１コマンドに応答し、サーバ装置のメモリが、一部の第２マルチメディアコンテンツをサーバ装置のプロセッサに送信する。ステップＳ２４は、サーバ端末のサーバ装置のプロセッサが、第２コマンドをインターネット１４０のサーバに送信して、インターネット１４０のサーバにおいて、記録可能な対象に関連する第２マルチメディアコンテンツを検索する。ステップＳ２５は、第２コマンドに応答し、インターネット１４０のサーバが、別の一部の第２マルチメディアコンテンツをサーバ装置のプロセッサに送信する。ステップＳ２６は、サーバ装置のプロセッサが、第３コマンドを他のマルチメディアコンテンツソース１５０のサーバに送信して、他のマルチメディアコンテンツソース１５０のサーバにおいて、記録可能な対象に関連する第２マルチメディアコンテンツを検索する。ステップＳ２７は、第３コマンドに応答し、他のマルチメディアコンテンツソース１５０のサーバが、別の一部の第２マルチメディアコンテンツをサーバ装置のプロセッサに送信する。
【００３８】
明らかなように、本実施例（以下第２方法実施例と称する）は、第１方法実施例の１つの下位実施例に過ぎず、本発明は、これに限定されるものではないことに留意されたい。例えば、サーバ端末１１０のサーバ装置のプロセッサは、サーバ装置のメモリ、インターネット及び他のマルチメディアコンテンツソースのうちの１つ、２つ又は全部から、記録可能な対象に関連する第２マルチメディアコンテンツを検索するように対応する数のコマンドを生成することに適している。即ち、第２マルチメディアコンテンツは、サーバ装置のメモリ、インターネット及び他のマルチメディアコンテンツソースのうちの１つ、２つ又は全部からのものであってよい。
【００３９】
また、本実施例において、サーバ装置のプロセッサは、第１のコマンド〜第３のコマンドをサーバ装置のメモリ、インターネット及び他のマルチメディアコンテンツソースに順番に送信して、サーバ装置のメモリ、インターネット及び他マルチメディアコンテンツソースからの第２マルチメディアコンテンツを順番に取得するが、本発明は、これに限定されるものではない。例えば、他の可能な実施例において、サーバ装置のプロセッサは、サーバ装置のメモリ、インターネット及び他のマルチメディアコンテンツソースからの第２マルチメディアコンテンツを取得する順番は、本実施例における順番と異なってもよい。
【００４０】
図６及び図７を参照すると、図６は、本発明の別の実施例によるマルチメディアコンテンツ整合方法のフローチャートであり、図７は、図６のマルチメディアコンテンツ整合方法が図１のマルチメディアコンテンツ整合システムにより実行されることを示す概略図である。
【００４１】
この方法は、下記の６つのステップＳ３１〜Ｓ３６を含む。ステップＳ３１は、第１ユーザ端末１２０からの第１マルチメディアコンテンツを取得する。第１マルチメディアコンテンツは記録可能な対象に関連する。ステップＳ３２は、記録可能な対象に関連する第１ユーザに関連する履歴情報を検索する。第１ユーザに関連する履歴情報は、全部又は一部の第２マルチメディアコンテンツであることもあれば、第２マルチメディアコンテンツでないこともある。また、第１ユーザに関連する履歴情報のソースは、第１ユーザ端末１２０又は他ユーザ端末である可能性があるが、第１ユーザに関連する履歴情報は、通常、第１ユーザ端末１２０に記憶されることはないため、本開示において、第１ユーザに関連する履歴情報は、第１ユーザ端末１２０以外からの第２マルチメディアコンテンツであってよい。ステップＳ３３は、第１マルチメディアコンテンツ及び第１ユーザに関連する履歴情報を用いて、サーバ端末１１０のメモリ、インターネット及び他のマルチメディアコンテンツソースのうちの１つ、２つ又は全部において、第２マルチメディアコンテンツを検索する。ステップＳ３４は、記録可能な対象が正確であるかどうかを確認する確認コマンドを第１ユーザ端末に送信する。ステップＳ３５は、第１ユーザ端末の確認結果が是である場合、即ち、記録可能な対象が正確である場合、第１マルチメディアコンテンツ及び第２マルチメディアコンテンツにより記録可能な対象を描くための第１整合コンテンツを生成する。ステップＳ３６は、第１ユーザ端末の確認結果が否である場合、即ち、記録可能な対象が正確でない場合、又は、第１ユーザ端末がこの時に選択した記録可能な対象が、ステップＳ３２において設定された記録可能な対象ではない場合、記録可能な対象を再度設定し、関連する記録可能な対象を再度設定するためにステップＳ３２に戻る。
【００４２】
ステップＳ３１において、例えば、サーバ端末１１０のサーバ装置の通信モジュールは、第１ユーザ端末１２０の通信モジュールから送信された第１マルチメディアコンテンツを受信することに適している。
【００４３】
ステップＳ３２において、例えば、サーバ端末１１０のサーバ装置のプロセッサは、記録可能な対象に関連する第１ユーザに関連する履歴情報を検索するようにメモリを制御するコマンドを生成し、第１ユーザに関連する履歴情報は、一部の第２マルチメディアコンテンツであってもよいし、第１ユーザのプロフィール、履歴チャット記録、操作履歴記録、共有ファイル（写真、ビデオ、書類等）、第１ユーザの友達及び第１ユーザが加入している又は加入に興味のあるグループを含んでもよい。
【００４４】
ステップＳ３３において、例えば、サーバ端末１１０のサーバ装置のプロセッサは、第１マルチメディアコンテンツ及び第１ユーザに関連する履歴情報を用いて、サーバ端末のメモリ、インターネット及び他のマルチメディアコンテンツソースのうちの１つ、２つ又は全部において、記録可能な対象に関連する別の一部のマルチメディアコンテンツを検索する。第２方法実施例は、１つ又は複数のソースからマルチメディアコンテンツをどのように取得するかについて詳しく説明したため、本実施例（以下第３方法実施例と称する）では、ステップＳ３３において、記録可能な対象の別の一部のマルチメディアコンテンツをどのように検索するかについて再びの説明を省略する。
【００４５】
ステップＳ３４において、サーバ端末１１０は、記録可能な対象が正確であるかどうかを確認する確認コマンドを第１ユーザ端末に送信する。例えば、サーバ端末１１０のサーバ装置のプロセッサは、記録可能な対象が正確であるどうかを確認する確認コマンドを生成することに適しており、サーバ端末１１０のサーバ装置のプロセッサの通信モジュールは、確認コマンドを第１ユーザ端末のコンピュータ装置の通信モジュールに送信することに適しており、ステップＳ３４の確認結果に応じて、続いてステップＳ３５又はステップＳ３６が実行される。
【００４６】
ステップＳ３５において、例えば、サーバ端末１１０のサーバ装置のプロセッサは、第１マルチメディアコンテンツ及び第２のマルチメディアコンテンツにより記録可能な対象を描くための第１整合コンテンツを生成する。
【００４７】
ステップＳ３６において、例えば、サーバ端末１１０のサーバ装置のプロセッサは、再度設定された記録可能な対象に関連する第２マルチメディアコンテンツを検索するために、記録可能な対象を再度設定することに適している。
【００４８】
例を挙げると、第１マルチメディアコンテンツは二次元写真であり、二次元写真は複数の物を記録しており、ステップＳ３３において、第１ユーザに関連する履歴情報によりどの物が記録可能な対象であるかを推測し、即ち、第１ユーザに関連する履歴情報を利用して、第１ユーザがどの物を本当に記録したいかを推測し、推測された第１ユーザが本当に記録したい最も可能性のある物を記録可能な対象とする。この例において、記録可能な対象は、第１ユーザに関連する履歴情報により生成された予測結果だけであるため、ステップＳ３４及びステップＳ３５によって、第１ユーザについて現在設定されている記録可能な対象が、第１ユーザが本当に記録したい物であるかどうかを確認する。
【００４９】
他の可能な実施例において、ステップＳ３４及びステップＳ３６を省略してもよく、ステップＳ３１、ステップＳ３２、ステップＳ３３、ステップＳ３５の順番で実行するだけで、即ち、他の可能な実施例において、第１ユーザ端末からの確認を必要とせずに、直接第１整合コンテンツを生成してもよい。
【００５０】
別の可能な実施例において、先ずステップＳ３１、ステップＳ３２、ステップＳ３４の順番で実行し、次いで、ステップＳ３５又はステップＳ３６を実行してもよい。実行されたステップがステップＳ３５である場合、最後にステップＳ３３を実行する。一方、実行されたステップがステップＳ３６である場合、記録可能な対象を再度設定し、ステップＳ３２に戻り、即ち、別の可能な実施例において、先ずは第１ユーザ端末からの記録可能な対象に対する確認を取得し、次いで、別の第２マルチメディアコンテンツを検索する。
【００５１】
図８及び図９を参照すると、図８は、本発明の別の実施例（以下第４方法実施例と称する）によるマルチメディアコンテンツの整合方法のフローチャートであり、図９は、図８のマルチメディアコンテンツ整合方法が図１のマルチメディアコンテンツ整合システムにより実行されることを示す概略図である。
【００５２】
図８のステップＳ４１〜Ｓ４６は、図６のステップＳ３１〜Ｓ３６に類似しているが、図８のステップＳ４２は、第１ユーザに関連する履歴情報を検索するのではなく、第１ユーザが属するグループの履歴情報を検索し、図８のステップＳ４３は、検索された第１ユーザが属するグループの履歴情報を用いて第２マルチメディアコンテンツを検索する。図８のステップＳ４４は、記録可能な対象が正確であるかどうかを確認する確認コマンドを第１ユーザに送信することができ、第１ユーザが属するグループに送信することもできる。
【００５３】
図８のステップＳ４１〜Ｓ４６は、図６のステップＳ３１〜Ｓ３６と類似しているため、他の点については再びの説明を省略する。
【００５４】
他の可能な実施例において、ステップＳ４４及びステップＳ４６を省略してもよく、ステップＳ４１、ステップＳ４２、ステップＳ４３、ステップＳ４５の順番で実行するだけで、即ち、他の可能な実施例において、第１ユーザ端末からの確認を必要とせずに、直接第１整合コンテンツを生成してもよい。
【００５５】
図１０及び図１１を参照すると、図１０は、本発明の別の実施例によるマルチメディアコンテンツ整合方法のフローチャートであり、図１１は、図１０のマルチメディアコンテンツ整合方法が図１のマルチメディアコンテンツ整合システムにより実行されることを示す概略図である。
【００５６】
この方法は、下記の６つのステップＳ５１〜Ｓ５６を含み、そのうち、図１０のステップＳ５１〜Ｓ５３と図２のステップＳ１１〜Ｓ１３とは全く同じであるため、ここでの再びの説明を省略する。ステップＳ５４は、第１整合コンテンツを分析することによって、ガイドデータを生成する。ガイドデータは、ユーザが記録可能な対象に関連する第３マルチメディアコンテンツを提供するようにガイドし、次いで、ユーザからの第３マルチメディアコンテンツを取得するためのものである。ステップＳ５５は、ガイドデータをグループにおける少なくとも一人のユーザに提供し、次いで、ユーザからの第３マルチメディアコンテンツを取得する。ステップＳ５６は、第１マルチメディアコンテンツ、第２マルチメディアコンテンツ及び第３マルチメディアコンテンツにより記録可能な対象を描くための第２整合コンテンツを生成する。
【００５７】
ステップＳ５４において、例えば、サーバ端末１１０のサーバ装置のプロセッサは、第１整合コンテンツを分析することによって、ガイドデータを生成することに適している。
【００５８】
ステップＳ５５において、例えば、サーバ端末１１０のサーバ装置の通信モジュールは、ガイドデータをグループにおける少なくとも一人のユーザに提供し、グループにおける少なくとも一人ユーザからの第３マルチメディアコンテンツを受信することに適している。
【００５９】
ステップＳ５６において、例えば、サーバ端末１１０のサーバ装置のプロセッサは、第１マルチメディアコンテンツ、第２マルチメディアコンテンツ及び第３マルチメディアコンテンツにより、記録可能な対象を描くための第２整合コンテンツを生成するために用いられる。任意的に、第２整合コンテンツは、第１ユーザ及び複数の第２ユーザに提供されてもよい。
【００６０】
本実施例（以下第５方法実施例と称する）において、ステップＳ５１〜Ｓ５６は、大体サーバ端末１１０によって実行されるが、本発明は、これに限定されるものではない。例えば、他の可能な実施例において、ステップＳ５１〜Ｓ５６のうちの１つ、２つ、３つ、４つ、５つ又は全部は、第１ユーザ端末１２０又は他の装置によって実行されることもある。
【００６１】
例を挙げると、第１マルチメディアコンテンツは第１写真を含んでよく、第２マルチメディアコンテンツは第２写真を含んでよく、第３マルチメディアコンテンツは第３写真を含んでよい。第１写真、第２写真及び第３写真はいずれも二次元写真であってよい。第１写真、第２写真及び第３写真はそれぞれ、第１角度、第２角度及び第３角度で記録可能な対象を撮ることによって生成されたものであってよい。第１角度、第２角度及び第３角度は互いに異なる。第１整合コンテンツは、概略的な記録可能な対象であるため、例えば、第１整合コンテンツは、記録可能な対象の三次元画像を概略的に提示するだけであるため、ガイドデータにより、ユーザは、第２整合コンテンツを生成するための第３マルチメディアコンテンツを提供することができる。第２整合コンテンツは、第１整合コンテンツよりも完全に近いものとして記録可能な対象を描くことができ、例えば、第２整合コンテンツは、記録可能な対象の三次元画像をより完全に近いものとして提示することができる。
【００６２】
この他に、１つの可能な実施例において、ステップＳ５１〜Ｓ５３の順番で実行した後、先ず、第１整合コンテンツを分析することによって、第１整合コンテンツで記録可能な対象を十分に描くことができるかどうかを判断する。第１整合コンテンツで記録可能な対象を十分に描くことができないと判断された場合、ステップＳ５４〜Ｓ５６の順番で実行する。第１整合コンテンツで記録可能な対象を十分に描くことできると判断された場合、ステップＳ５４〜Ｓ５６を実行しない。この例において、完全性スコアのしきい値が予め設定され、第１整合コンテンツの完全性スコアがしきい値に達している場合、第１整合コンテンツで記録可能な対象を十分に描くことができると判断する。第１整合コンテンツの完全性スコアがしきい値に達していない場合、第１整合コンテンツで記録可能な対象を十分に描くことができないと判断する。完全性スコアについては後の実施例において詳しく説明されるため、ここでは説明を省略する。
【００６３】
また、１つの可能な実施例において、ステップＳ５１〜Ｓ５５の順番で実行した後、先ず、第１マルチメディアコンテンツ、第２マルチメディアコンテンツ及び第３マルチメディアコンテンツの現在のマルチメディアコンテンツで記録可能な対象を十分に描くことができるかどうかを判断する。現在のマルチメディアコンテンツで記録可能な対象を十分に描くことができないと判断された場合、ユーザが記録可能な対象に関連する第４マルチメディアコンテンツを提供するようにガイドするためのより多くのガイドデータを生成する。次いで、ステップＳ５６を実行する。上記と同様に、この例において、完全性スコアのしきい値が予め設定され、現在のマルチメディアコンテンツの完全性スコアがしきい値に達している場合、現在のマルチメディアコンテンツで記録可能な対象を十分に描くことができると判断する。現在のマルチメディアコンテンツの完全性スコアがしきい値に達していない場合、現在のマルチメディアコンテンツで記録可能な対象を十分に描くことができないと判断する。完全性スコアについては後の実施例において詳しく説明し、ここでは説明を省略する。
【００６４】
以上の例において、第１写真、第２写真及び第３写真の数はいずれも１つであるが、本発明は、これに限定されるものではない。例えば、第１写真の数は複数であってもよく、すべての第１写真の第１角度は互いに異なってもよい。例えば、第２写真の数は複数であってもよく、すべての第２写真の第２角度は互いに異なってもよい。例えば、第３写真の数は複数であってもよく、すべての第３写真の第３角度は互いに異なってもよい。
【００６５】
また、第１マルチメディアコンテンツは、第１写真の第１撮影場所データ、第１撮影時間データ及び／又は第１撮影方向データを含んでよい。第２マルチメディアコンテンツは、第２写真の第２撮影場所データ、第２撮影時間データ及び／又は第２撮影方向データを含んでよい。第３マルチメディアコンテンツは、第３写真の第３撮影場所データ、第３撮影時間データ及び／又は第３撮影方向データを含んでよい。
【００６６】
第１撮影場所データ〜第３撮影場所データは、第２整合コンテンツを最適化するために用いられ、例えば、記録可能な対象がランドマークである場合、通常、ランドマークの位置は固定されているため、第１撮影場所データ〜第３撮影場所データにより、第１写真、第２写真及び第３写真は同じ場所で撮ったことを確認することができる。
【００６７】
第１撮影時間データ〜第３撮影時間データも、第２整合コンテンツを最適化するために用いられ、例えば、記録可能な対象がイベント（例えば披露宴）である場合、通常、イベントは１つの時間帯に発生するため、第１撮影時間データ〜第３撮影時間データにより、第１写真、第２写真及び第３写真の時間的順番を確認することができる。また、例えば、記録可能な対象が物である場合、通常、物は移動されたり回転されたりし、移動や回転の過程は、通常、１つの時間帯に発生するため、第１撮影時間データ〜第３撮影時間データにより、第１写真、第２写真及び第３写真の時間的順番を確認することができ、物の全体構造をより正確に描くことができる。
【００６８】
第１撮影方向データ〜第３撮影方向データも、第２整合コンテンツを最適化するために用いられ、例えば、記録可能な対象が建物や自然景色の場合、第１撮影方向データ〜第３撮影方向データにより、建物や自然景色の方位を確認することができ、建物や自然景色をより正確に描くことができる。
【００６９】
上記のいくつかの例において、記録可能な対象の例として、ランドマーク、イベント、物、建物、自然景色を挙げたが、上記のように、記録可能な対象は、ユーザが本当に記録したいもの、通常、記念すべき対象であるため、記録可能な対象は、ランドマーク、イベント、物、建物、自然景色に限定されるものではない。
【００７０】
第１撮影場所データ〜第３撮影場所データ、第１撮影時間データ〜第３撮影時間データ及び第１撮影方向データ〜第３撮影方向データは、コンピュータ装置自身の全地球測位システム（ＧＰＳ）、重力センサー及び加速度計によって取得されてよい。コンピュータ装置は、ポータブル装置、例えば、スマートフォン又はタブレットＰＣであってよい。
【００７１】
本実施例において、第１マルチメディアコンテンツ〜第３マルチメディアコンテンツの例として、二次元写真を挙げたが、本発明は、これに限定されるものではない。例えば、第１マルチメディアコンテンツ〜第３マルチメディアコンテンツは、動画、音声、他のマルチメディアコンテンツ又は複数マルチメディアコンテンツの組み合わせを含んでもよい。
【００７２】
本実施例において、ユーザは、第１ユーザ及び第１ユーザに関連する一人以上の第２ユーザを含む。例えば、第２ユーザは、第１ユーザの通信ソフト上の個人の友達であってもよいし、第２ユーザは、第１ユーザがグループに加入しているグループ友達であってもよいし、第２ユーザは、第１ユーザと同じローカルエリアネットワークを使用するユーザであってもよい。本実施例において、一部の第３マルチメディアコンテンツは、第１ユーザからのものであり、別の一部の第３のマルチメディアコンテンツは、第１ユーザに関連する一人以上の第２ユーザからのものであるが、本発明は、これに限定されるものではない。他の可能な実施例において、ユーザは、第１ユーザのみ又は一人の第２ユーザのみを含んでもよく、全部の第３マルチメディアコンテンツは、第１ユーザのみからのものであってもよいし、全部の第３マルチメディアコンテンツは、一人以上の第２ユーザからのものであってもよい。
【００７３】
図１２及び図１３を参照すると、図１２は、本発明の別の実施例によるマルチメディアコンテンツ整合方法のフローチャートであり、図１３は、図１２のマルチメディアコンテンツ整合方法が図１のマルチメディアコンテンツ整合システムにより実行されることを示す概略図である。
【００７４】
この方法（以下第６方法実施例と称する）は、下記の９つステップＳ６１〜Ｓ６９を含み、図１２のステップＳ６１〜Ｓ６４と図１０のステップＳ５１〜Ｓ５４とは全く同じであり、図１２のステップＳ６９と図１０のステップＳ５６とは全く同じであるため、ここでは、再びの説明を省略する。ステップＳ６５は、第１ユーザ及び第１ユーザに関連する複数の第２ユーザと記録可能な対象との地図上の距離を計算する。ステップＳ６６は、計算された距離に基づいて、第１ユーザ及び複数の第２ユーザのうちのどのユーザが記録可能な対象に最も近いかを判断する。ステップＳ６７は、ガイドデータを、記録可能な対象に最も近いユーザのみに提供し、即ち、ガイドデータを、記録可能な対象に最も近い第１ユーザ又は記録可能な対象に最も近い複数の第２ユーザのうちの一人に提供する。ステップＳ６８は、ユーザからの第３マルチメディアコンテンツを取得する。全部の第３マルチメディアコンテンツは、第１ユーザのみからのものである、又は、全部の第３マルチメディアコンテンツは、一人の第２ユーザのみからのものである。
【００７５】
ステップＳ６５において、例えば、サーバ端末１１０のサーバ装置のプロセッサは、第１ユーザ及び第１ユーザに関連する複数の第２ユーザと記録可能な対象との地図上の距離を計算する。また、例えば、サーバ端末１１０のサーバ装置のプロセッサは、ＧＰＳ、写真撮影場所データ又は無線ネットワークアドレス（例えばＢｅａｃｏｎ、ＷＩＦＩ（登録商標）、４Ｇ等）のうちの１つ、２つ又は全部で、記録可能な対象、第１ユーザ及び第２ユーザの地図上の位置を判断することにより、第１ユーザと記録可能な対象との地図上の距離を計算し、複数の第２ユーザと記録可能な対象との地図上の距離を計算することができる。この例において、室外では、ＧＰＳを用いることが、記録可能な対象及びユーザの地図上の位置を判断することに適している可能性があり、室内では、無線ネットワークアドレスを用いることが、記録可能な対象及びユーザの地図上の位置を判断することに適している可能性がある。
【００７６】
ステップＳ６６において、例えば、サーバ端末１１０のサーバ装置のプロセッサは、計算された距離に基づいて、第１ユーザ及び複数の第２ユーザのうちのどのユーザが記録可能な対象に最も近いかを判断することに適している。
【００７７】
ステップＳ６７において、例えば、サーバ端末１１０のサーバ装置のプロセッサは、メモリを制御して、ガイドデータを、記録可能な対象に最も近いユーザのみに提供することに適している。
【００７８】
ステップＳ６８において、例えば、サーバ端末１１０のサーバ装置の通信モジュールは、ユーザからの第３のマルチメディアコンテンツを取得することに適している。
【００７９】
例を挙げて説明すると、第１ユーザについての、記録可能な対象との地図上の距離の計算結果が１０メートルであり、コード名Ａの第２ユーザについての、記録可能な対象との地図上の距離の計算結果が８メートルであり、コード名Ｂの第２ユーザについての、記録可能な対象との地図上の距離の計算結果が６メートルである場合、計算結果に基づいて、コード名Ｂの第２ユーザが記録可能な対象に最も近いユーザであると判断し、ガイドデータは、コード名Ｂの第２ユーザのみに提供され、コード名Ｂの第２ユーザは、ガイドデータにガイドされて第３のマルチメディアコンテンツを提供する。
【００８０】
図１４及び図１５を参照すると、図１４は、本発明の別の実施例によるマルチメディアコンテンツ整合方法のフローチャートであり、図１５は、図１４のマルチメディアコンテンツ整合方法が図１のマルチメディアコンテンツ整合システムにより実行されることを示す概略図である。
【００８１】
この方法（以下第７方法実施例と称する）は、下記の８つのステップＳ７１〜Ｓ７８を含み、そのうち、図１４のステップＳ７１〜Ｓ７４、Ｓ７５〜７６と図１０のステップＳ５１〜Ｓ５６とは全く同じであるため、ここでは、再びの説明を省略する。ステップＳ７７は、第１整合コンテンツの記録可能な対象を描く完全性の程度に応じた完全性スコアを与える。ステップＳ７８は、完全性スコアをユーザに提供する。
【００８２】
ステップＳ７７において、例えば、サーバ端末１１０のサーバ装置のプロセッサは、第１整合コンテンツの記録可能な対象を描く完全性の程度に応じた完全性スコアを与えることに適している。
【００８３】
ステップＳ７８において、例えば、サーバ端末１１０のサーバ装置の通信モジュールは、完全性スコアをユーザに提供することに適している。
【００８４】
例を挙げて説明すると、完全性スコアは０〜１００点の範囲内に設定されてよく、スコアが高いほど記録可能な対象を描く完全性の程度が高くなる。ユーザは、完全性スコアにより、第３マルチメディアコンテンツを提供するかどうかの意欲を変えることができる。例えば、ユーザは、第１整合コンテンツの完全性スコアが６０点しかないため、記録可能な対象の完全性の程度を高めるために第３マルチメディアコンテンツを提供することを決めることができる。他の可能な実施例において、第２整合コンテンツの完全性スコアを計算し、第２整合コンテンツの完全性スコアをユーザに提供する。第２整合コンテンツの完全性スコアは、理想的には第１整合コンテンツの完全性スコアよりも高くなる。
【００８５】
第５方法実施例〜第７方法実施例において、ユーザがガイドデータのガイドに基づいて第３マルチメディアコンテンツを提供した後、ユーザに奨励スコアを提供することができ、奨励スコアは、ユーザの貢献に関連し得る。例えば、奨励スコアは、第２整合コンテンツの完全性スコアから第１整合コンテンツの完全性スコアを減算した値に等しい。奨励スコアは、代用貨幣の形式であってよく、ユーザは、奨励スコアをもってシールや他の景品を買うことができる。
【００８６】
第１方法実施例〜第７方法実施例を例として挙げたが、本発明は、第１方法実施例〜第７方法実施例に限定されるものではない。明らかなように、本発明は、第１方法実施例〜第７方法実施例に基づいて、更に多くの方法実施例を生成することができる。
【００８７】
例を挙げて説明すると、他の可能な実施例において、ユーザからの第３マルチメディアコンテンツを取得した後、ユーザ以外からの、記録可能な対象に関連するマルチメディアコンテンツ（以下第５マルチメディアコンテンツと称する）を検索することができる。次いで、第１マルチメディアコンテンツ、第２マルチメディアコンテンツ、第３マルチメディアコンテンツ及び第５マルチメディアコンテンツにより記録可能な対象を描くための第２整合コンテンツを生成することができる。第５マルチメディアコンテンツは、このユーザ以外の他のユーザ、サーバ端末のメモリ、インターネット及び他のマルチメディアコンテンツソースのうちの１つ、２つ、３つ又は全部からのものであってよい。
【００８８】
例を挙げると、第１方法実施例〜第７方法実施例において、第１整合コンテンツの生成は、第１ユーザ端末からの第１マルチメディアコンテンツ及び第１ユーザ端末以外からの第２マルチメディアコンテンツによるが、本発明は、これに限定されるものではない。
【００８９】
例えば、他の可能な実施例において、第１マルチメディアコンテンツで記録可能な対象を十分に描くことができると判断し、第１マルチメディアコンテンツにより記録可能な対象を描くための第１整合コンテンツを生成する。第１マルチメディアコンテンツで記録可能な対象を十分に描くことができないと判断した場合、記録可能な対象に関連する第２マルチメディアコンテンツを検索し、第１マルチメディアコンテンツ及び第２マルチメディアコンテンツにより記録可能な対象を描くための第１整合コンテンツを生成する。
【００９０】
例えば、他の可能な実施例において、第２マルチメディアコンテンツを検索しなくてもよく、第１マルチメディアコンテンツで記録可能な対象を十分に描くことができるかどうかを判断しなくてもよく、直接、第１マルチメディアコンテンツにより記録可能な対象を描くための第１整合コンテンツを生成する。
【００９１】
本発明は、マルチメディアコンテンツを整合することができるマルチメディアコンテンツ整合システムを更に開示する。本マルチメディアコンテンツ整合システムは、少なくとも１つのメモリ装置、少なくとも１つのプロセッサ装置及び少なくとも１つの通信装置を含み、第１方法実施例〜第７方法実施例のうちの１つ、又は他の変形された方法実施例を実行するように構成される。第１方法実施例〜第７方法実施例についてすでに詳細な説明がされているため、ここでは、マルチメディアコンテンツ整合システムについての説明を省略する。
【００９２】
本発明は、マルチメディアコンテンツを整合することができるプログラムを更に開示する。本プログラムは、第１方法実施例〜第７方法実施例のうちの１つ、又は他の変形された方法実施例をコンピュータに実行させる。本発明は、本プログラムを記憶しているコンピュータ読み取り可能な記憶媒体を更に開示する。第１方法実施例〜第７方法実施例についてすでに詳細な説明がされているため、ここでは、プログラム及びコンピュータ読み取り可能な記憶媒体についての説明を省略する。
【００９３】
本発明の方法、システム及びプログラムは、マルチメディアコンテンツを整合するため、本発明の方法、システム及びプログラムは、記録可能な対象をより完全に近いものとして描くことができ、ユーザにとって更によいユーザ体験を与えることができる。
【００９４】
上記において、本発明が、好適な実施例により説明されたが、当業者であれば、複数の実施例は、本発明の例示であり、本発明の範囲を限定するものとして理解されるべきではない。すべての実施例に対する均等の変形及び置換は、いずれも本発明の範囲内に含まれるため、本発明の保護範囲は、特許請求の範囲に準じるものである。
【符号の説明】
【００９５】
１００  マルチメディアコンテンツ整合システム
１１０  サーバ端末
１１１  メモリ
１１２  プロセッサ
１１３  通信モジュール
１２０  第１ユーザ端末
１２１  入力装置
１２２  ディスプレイ
１２３  メモリ
１２４  プロセッサ
１２５  通信モジュール
１３０  第２ユーザ端末
１４０  インターネット
１５０  他のマルチメディアコンテンツソース
【図１】
2019220181.tif 000003
【図２】
2019220181.tif 000004
【図３】
2019220181.tif 000005
【図４】
2019220181.tif 000006
【図５】
2019220181.tif 000007
【図６】
2019220181.tif 000008
【図７】
2019220181.tif 000009
【図８】
2019220181.tif 000010
【図９】
2019220181.tif 000011
【図１０】
2019220181.tif 000012
【図１１】
2019220181.tif 000013
【図１２】
2019220181.tif 000014
【図１３】
2019220181.tif 000015
【図１４】
2019220181.tif 000016
【図１５】
2019220181.tif 000017